(57)【特許請求の範囲】
【請求項１】
防護服を着用した駆除作業者に対する威嚇行動はするが刺しにこない程度の距離までスズメバチの巣に接近し，アクリル系樹脂とインパラフィンの混合物を巣の出入口の孔にスプレーして出入口の孔を塞ぐように固め，スプレーで殺虫剤を巣の外側から数カ所巣の内部に噴射して巣の中のスズメバチを全て殺し，その後，外を飛んでいるスズメバチをある程度の数殺すこ  とを特徴とするスズメバチの駆除方法。
【請求項２】
アクリル系樹脂とインパラフィンの混合物をスプレーに充填したことを特徴とするスズメバチ駆除用スプレー。
【発明の詳細な説明】
【０００１】
【発明の属する技術分野】
本発明は、スズメバチを駆除する方法，及び，スズメバチを駆除する際に使用するのに好適な器材に関するものである。
【０００２】
【従来の技術】
スズメバチは，土の中，樹木の中の空洞，軒下，天井裏等に球形の巣を樹皮等で造ることで知られている。
【０００３】
スズメバチは多数の個体が集まって巣を造り社会生活を営むが，強大な大あごを有するばかりでなく，巣を侵そうとする外敵に対して毒針を武器として使用するので，時には，駆除する必要が生じる。
【０００４】
スズメバチの巣は，７月中旬頃から球形となり，９月頃には大きなもので４０ｃｍ  位になる。巣には，真ん中あたりに２〜３ｃｍ位の出入口の孔がある。
【０００５】
巣の中には女王蜂他多数の蜂がおり，出入口の孔付近には兵蜂が数匹いる他，周囲で巣を外敵から守っている蜂，外敵が襲来すると外に働きに出ている蜂を呼びに行く蜂というようにいろいろの役目をもった蜂がいる。
【０００６】
このため，スズメバチの駆除において大切なことは，スズメバチに外敵とさとられる前に，できるだけ早く巣の出入口の孔を塞いでしまうことである。
【０００７】
速やかに出入口の孔を塞いでしまえば，スズメバチにとって外敵である駆除作業者が刺される危険が少ないし，巣の外にいて駆除作業者を攻撃するスズメバチを殺す数も少なくてすむし，なによりも，夏期の防護服の着用による高温多湿な環境での作業である駆除作業を迅速に行えるからである。
【０００８】
これまで，スズメバチの駆除は，防護服を着用した駆除作業者に対して威嚇行動はするが刺しにこない程度の距離にまで，通常は巣の２ｍ付近まで，接近し，即効性の殺虫剤をジェットスプレーで巣に噴射し，その後，巣の出入口の孔の大きさを確認して割箸等に脱脂綿を巻き付けたものに殺虫剤をしみこませてこれで出入口の孔を塞ぎ，ノズル付きのスプレーで殺虫剤を巣の外側から数カ所噴射して巣の中のスズメバチを全て殺し，巣を取り除いた後，殺虫剤をスプレーで噴射したり，掃除機で吸引する等して外を飛んでいるスズメバチをある程度の数殺して作業を終了するというものであった。
【０００９】
このため，出入口の孔を塞く作業を迅速に行うには，相当の経験と熟練が必要であった。また，熟練者でも出入口の孔を完全に塞ぐことは困難であったから，塞ぐまでに殺虫剤を相当量噴射してもかなりの数のスズメバチが出入口の孔から出てきてしまうのを防止できなかった。
【００１０】
このため，屋根裏のように，狭く，余剰の殺虫剤が滴下することが望ましくない場所での駆除作業の場合，巣に帰って来た蜂か，殺虫剤がかかった蜂か見分けがつかないので，多量の殺虫剤を使用することになり，経済性，作業性とも良くなかった。しかも，スズメバチの巣は柔らかく，殺虫剤の使用量が多いと底から漏れ出してしまい，床を汚すだけでなく，床が滑り易くなり危険であり，安全性にも問題があった。
【００１１】
また，巣を取り除いた後，外を飛んでいるスズメバチをある程度の数殺す作業も，必ずしもスズメバチがかたまっているわけではないから，駆除作業者にかなりの経験と熟練がないと，殺虫剤を過剰に使用することとなったし，夏期のそれも暑い場所で防護服を着用しての駆除作業者の労力と疲労は大きなものであった。
【００１２】
【発明が解決しようとする課題】
そこで，本発明は，巣の出入口の孔を安全に，かつ，瞬間的に塞ぐことができるスズメバチの駆除方法を提供することにより，駆除作業を迅速に行えるようにしてその作業効率を高め，殺虫剤を過剰使用しなくても完全な駆除ができるようにして薬剤費を大幅に減じて経済性を高め，しかも，駆除作業をより安全に，さほどの労力を要せず駆除作業者の疲労も少ないものとすることを目的とする。
【００１３】
また，本発明は，スズメバチの巣の出入口の孔を瞬間的に塞ぐことができる器材の提供を目的とするものである。
【００１４】
【課題を解決するための手段】
上記の目的を達成するための本発明の構成は，防護服を着用した駆除作業者に対する威嚇行動はするが刺しにこない程度の距離までスズメバチの巣に接近し，アクリル系樹脂とインパラフィンの混合物を巣の出入口の孔にスプレーして出入口の孔を塞ぐように固め，スプレーで殺虫剤を巣の外側から数カ所巣の内部に噴射して巣の中のスズメバチを全て殺し，その後，外を飛んでいるスズメバチをある程度の数殺すというものである。
【００１５】
また，本発明は，スズメバチの巣の出入口の孔を瞬間的に塞ぐための器材として，アクリル系樹脂とインパラフィンの混合物を充填したスプレーを提供するものである。
【００１６】
アクリル系樹脂とインパラフィンの混合物の充填したスプレーは，スズメバチの巣から２ｍ程度離れた場所から，出入口の孔に向けて約１秒間噴射すると固まって巣の出入口の孔を塞ぎ，スズメバチは巣に出入りできなくなる。
【００１７】
【発明の実施の形態】
以下、 本発明の実施の一形態を説明する。
【００１８】
本発明のスズメバチの駆除方法の実施の一形態を説明すると，防護服を着用した駆除作業者は，巣にできるだけ近づく。その際，スズメバチから外敵とさとられると駆除作業が面倒になるので，威嚇行動はとるが刺されない程度の距離にまで，通常は巣の２ｍ前後まで接近する。接近後直ちにアクリル系樹脂とインパラフィンの混合物を巣の出入口の孔に向けて２〜３秒間スプレーする。アクリル系樹脂とインパラフィンの混合物は直ちに固まり，巣内のスズメバチに押し出されることもないから巣の出入口の孔は塞がれ，スズメバチは巣に出入りできなくなる。それから，スプレーで殺虫剤を巣の外側から巣の内側に数カ所噴射して巣の中のスズメバチを全て殺す。スズメバチは前記の通り巣に閉じ込められた状態であるから，巣の中のスズメバチを殺す作業を迅速に行うことができる。また，屋根裏のような場所でも巣の外のスズメバチは簡単に見分けることが出来るので殺虫剤の使用量は少なくてよい。従来の割箸等に脱脂綿を巻き付けたもので塞ぐ方法では塞ぐ前に高価な即効性の殺虫剤を大量に噴射する必要があったがその必要はなく，また，使用する殺虫剤も安価なもので足りるから，殺虫剤の使用量は従来方法の１／３程度ですむから薬剤費は安価である。もとより，過剰の殺虫剤を使用した場合に生じる殺虫剤の巣の底からの  滴下もない。こうして，巣の中のスズメバチを全て殺し終わると，巣を除去してスズメバチの駆除作業を終了する。
【００１９】
尚，巣の中のスズメバチを全て殺し終わった後に，スズメバチの捕獲器を巣を取り除いた所の捕獲し易い場所に適数個吊り下げるとよい。スズメバチの捕獲器は，図１に示した通り，周囲に余白１を残して内面に粘着材が塗布されていて粘着材塗布面２を内側にして２つ折りされたボード３と，棒状で屈曲することが可能なボード３の吊り下げ部材４から成り，ボード３の２つ折りの上部の一半の余白１には吊り下げ部材４の挿通用の孔５を設け，ボード３の２つ折りの下部の一半の余白１にはスズメバチの脱落を防止する受け皿６を設けたものである。尚，図例においては，上部が開放した箱体を別途形成してこの箱体を糊等でボード３の２つ折りの下部の一半の余白１に固着して受け皿６を形成しているが，ボード３の２つ折りの下部の一半の余白１にを折り返して受け皿６を形成するようにしてもよい。即ち，受け皿６はボード３と一体に形成しても，受け皿６とボード３を別々に形成して受け皿６をボード３に固定するようにしてもよい。他図中符号７はボード３の折り目，８は吊り下げ部材４の基端側に取り付けた吊り下げ用の針金である。
【００２０】
このスズメバチの捕獲器の使用は，２つ折りされたボード３を開成し，吊り下げ部材４をボード３の孔５に挿通して軽く振る等して粘着材塗布面２にスズメバチをできるだけ羽音が大きくなるように付けた後，吊り下げ部材４の先端を梁材や壁材に刺して吊り下げて行う。吊り下げ部材４の先端を刺すことが難しい場合には吊り下げ部材４を屈曲し，基端側に取り付けた針金７をからめることにより吊り下げる。止まるときは足から止まる習性により捕獲されたスズメバチは羽音を大きくたてるので，他の蜂の羽音のする場所に集まる習性によりスズメバチは次々とボード３の粘着材塗布面２によって捕獲される。前記の通り，スズメバチの駆除作業は夏期に行われ，そのため，数匹のスズメバチが粘着材塗布面２上で集まった状態となると粘着材が下方に垂れ，捕獲したスズメバチが粘着材塗布面２から脱落することがあるが，粘着材塗布面２から脱落しても受け皿６に落ちるだけで床や地面に落ちることはない。こうして適当数のスズメバチを捕獲したら，捕獲器を撤去する。
【００２１】
【発明の効果】
以上に説明したところから明らかな通り，本発明の駆除方法によれば、巣の出入口の孔を安全に，かつ，瞬間的に塞ぐことができるので，駆除作業が迅速に行え，作業効率が高く，殺虫剤を適正量だけ使用すれば完全な駆除ができるので薬剤費が大幅に減じ，経済性が高く，しかも，駆除作業をすこぶる安全で労力の少ない疲労の少ないものとすることができる。
【００２２】
また，本発明のスズメバチ駆除用スプレーによれば，安価に巣の出入口の孔  を完全に塞ぐことができ，本発明のスズメバチの捕獲器は，スズメバチの他の蜂の羽音のする場所に集まる習性と，止まるときは足から止まる習性を利用してスズメバチを短時間で多数捕獲することができるだけでなく，捕獲したスズメバチが粘着材の垂れによって床や地面に落下することを防止できる等の効果がある。
【図面の簡単な説明】
【図１】  スズメバチの捕獲器の使用状態における正面図
【符号の説明】
１      余白
２      粘着材塗布面
３      ボード
４      吊り下げ部材
５      孔
６      受け皿
７      折り目
８      針金
【図１】
0003723166.tif 000002